(57)【要約】      （修正有）【課題】  砂時計式の時計または時計玩具においては、天地を非対称型にし、常に据置型の状態でタイマーとして、ゲーム用として及び室内の装飾品として使用できるようにする。【解決手段】透明なガラスまたは樹脂材により頭部２と首部または括れ部３と胴部４とを一連に形成した天地が非対称の容器と、該容器内の首部または括れ部を境にして上部の頭部または下部の胴部内に、周囲に所要の間隙をもって配設したノズル５ａ，５ｂ付の椀型形状の受け部材５と、前記ノズルの先端が臨む位置に回転可能に配設し、周方向に複数等分して所要の表示を設けた少なくとも１個の回転部材９と、該容器内に収納した前記受け部材の容量を少なくとも１０％を超える量の流動体８とからなる構成とした。【選択図】図１
2009106599.tif 000002
【特許請求の範囲】
【請求項１】
透明なガラスまたは樹脂材により頭部と首部または括れ部と胴部とを一連に形成した天地が非対称の容器と、
該容器内の首部または括れ部を境にして上部の頭部または下部の胴部内に、周囲に所要の間隙をもって配設したノズル付の椀型形状の受け部材と、
前記ノズルの先端が臨む位置に回転可能に配設し、周方向に複数等分して所要の表示を設けた少なくとも１個の回転部材と、
該容器内に収納した前記受け部材の容量を少なくとも１０％を超える量の流動体とからなること
を特徴とする砂時計式の時計玩具。
【請求項２】
前記非対称の容器は、全体形状が扁平な形状または横断面が円形であること
を特徴とする請求項１に記載の砂時計式の時計玩具。
【請求項３】
前記流動体は液体または粒状体であって着色してあること
を特徴とする請求項１に記載の砂時計式の時計玩具。
【請求項４】
前記回転部材に設けた所要の表示は、複数個の数字であること
を特徴とする請求項１に記載の砂時計式の時計玩具。
【請求項５】
前記胴部には前記回転部材と隣接する状態で矢印マークが設けられていること
を特徴とする請求項１乃至４のいずれかに記載の砂時計式の時計玩具。
【発明の詳細な説明】
【技術分野】
【０００１】
本発明は、砂時計としてもゲーム用玩具としても使用できる砂時計式の時計玩具に関するものである。
【背景技術】
【０００２】
この種の砂時計式の時計及び時計玩具に関しては、種々の構成のものが公知または周知になっている。第１の公知例として、例えば、上側と下側が上下対象の外形からなる枠体の側面にはシート状のＥＬ素子を巻き付けて設けてあり、上記ＥＬ素子は、上記枠体の上側に配置してある第１のシート状ＥＬ素子と、上記枠体の下刃輪に配置してある第２のシート状ＥＬ素子とからなり、上記第１のシート状ＥＬ素子と第２のシート状ＥＬ素子は、それぞれ複数のセグメントに分割してあり、上記第１のシート状ＥＬ素子と上記第２のシート状ＥＬ素子とは、時間の経過に対応して少なくとも所定の経過時間を表示するように制御される構成のＥＬ砂時計が公知になっている（特許文献１）。
【０００３】
このＥＬ砂時計は、上下対象の外形からなる枠体の側面に、柔軟性のある薄型のシート状ＥＬ素子を巻き付け、ＥＬ素子を複数のセグメントに分割し、時間の経過に対応して経過時間を表示するように制御するようにしたので、表示面の発光輝度にむらがなく表示性に優れており、かつ砂時計本体の形状構成の自由度が高く、砂時計の現実感を表現できるとともに、枠体内部の空間を制御回路などの収納に有効に利用できるというものである。
【０００４】
第２の公知例として、例えば、ガラス製透明容器の中央が縊れて２つの砂溜まりが形成され、中に砂が入れられており、このガラス製透明容器は扁平に形成されており、これを扁平なケースに収め、倒れにくいように、ケースの上下に板を設け、ケースの両面には、大きく口を開いたキャラクタが天地を逆にそれぞれ描かれており、各面とも、口の部分は窓（穴）になっていて、該窓を通して砂時計の砂溜まりが見えるように構成した砂時計おもちゃが公知になっている（特許文献２）。
【０００５】
この砂時計おもちゃは、天地をひっくり返した時に、窓から見える口の部分の砂が順次少なくなって行くのが見えて、例えば、子供の歯磨き時間を教えるようにして楽しく歯磨きをさせることができるというものである。
【０００６】
第３の公知例として、例えば、中央部のくびれた透明器からなる時計容器内に液状スライムを入れて砂時計スタイルの液状スライム時計を構成し、その底部にスタンプを設けたものであり、さらに、人形、顔おもちゃなどの飾り用小物を時計容器内に入れると共に、液状スライムを液状シリコンにしたスタンプ付スライム時計が公知になっている（特許文献３）。
【０００７】
このスライム時計は、時計としての機能とスタンプとしての機能の両方を備え、時計としての作業毎の確認のスタンプを押して作業の回数を記録したり、スタンプの乾燥時間を確認したりできるとともに、子供の学習能力の向上に役立つこと、また、人形、顔おもちゃなどの飾り用小物を時計容器内に入れてあるから、液状スライムの流下に伴い飾り用小物が容器内で踊るように動き、子供に好かれること、さらに、液状スライムのシリコンを取り出してボールにして弾ませたり、粘土状にして粘土遊びができ、いい香りを出して遊べるようにしたというものである。
【０００８】
【特許文献１】特開平９−３３６７１号公報
【特許文献２】実開平５−６５４００号公報
【特許文献３】実用新案登録第３０９０４５６号登録実用新案公報
【発明の開示】
【発明が解決しようとする課題】
【０００９】
ところで、前記特許文献１に記載のＥＬ砂時計は、電池で発光させるシート状ＥＬ素子を複数のセグメントに分割し、時間の経過に対応して経過時間を表示するように制御するようにしたというものであるが、分割した各セグメントを光輝させるものであり、そのための制御回路、電池、操作ボタン（モードボタン）、スタートボタンや時計機能とタイマー機能などが必要であり、部品点数が多くなり構成が複雑であって安価に提供できないばかりでなく、例えば、砂時計のような残量（時間経過）が目視できないし、特に玩具としては不向きである。
【００１０】
また、前記特許文献２に記載の砂時計おもちゃは、中央が縊れて２つの砂溜まりが形成されたガラス製透明容器と、該ガラス製透明容器を収める扁平なケースとから構成されており、ケースの表裏に天地を逆にして描かれたキャラクターの口の部分を窓（穴）にし、該窓を通してガラス製透明容器の砂溜まりが見えるようにしたというものであるが、表裏両面が天地を逆に形成してあることから、使用時には常に、天地を逆転させ且つ表裏を反転して使用しなければならず、また、動きがないことからおもちゃといえどもゲーム感覚での遊びができないという問題点を有している。
【００１１】
さらに、前記特許文献３に記載のスライム時計は、中央部のくびれた透明器内に液状シリコンからなる液状スライムを入れ、その底部にスタンプを設けると共に、人形、顔おもちゃなどの飾り用小物を時計容器内に入れたものであり、液状スライムの流下に伴い飾り用小物が容器内で踊るように動き、子供に好かれるとしているが、図示のように飾り用小物が宙に浮いたり、ボール遊びができる程の弾力性があると液状スライムの内部には入り込めないのであるから、容器内で踊るように動くことは絶対にできないし、単に、単純なスタンプ遊びができたり、容器から液状スライムを取り出して粘土遊びができる程度でしかないのであり、砂時計としてまたはおもちゃとしての使用時には天地をひっくり返してでなければならないという問題点を有している。
【００１２】
従って、前記公知技術に係るＥＬ砂時計、砂時計おもちゃや砂時計スタイルのスライム時計においては、いずれも天地（上下）が対称的に形成されており、使用時に天地ひっくり返さなくてはならないが、これを簡単な構成にして天地をひっくり返さなくても砂時計式の時計として使用できるようにすると共に、玩具として動きがあって、又は予測が困難な数字合わせなどのゲーム遊びができるようにすること、さらに、室内の装飾品としても優れたものとすることに解決課題を有している。
【課題を解決するための手段】
【００１３】
本発明に係る砂時計式の時計玩具の発明は、透明なガラスまたは樹脂材により頭部と首部または括れ部と胴部とを一連に形成した天地が非対称の容器と、該容器内の首部または括れ部を境にして上部の頭部または下部の胴部内に、周囲に所要の間隙をもって配設したノズル付の椀型形状の受け部材と、前記ノズルの先端が臨む位置に回転可能に配設し、周方向に複数等分して所要の表示を設けた少なくとも１個の回転部材と、該容器内に収納した前記受け部材の容量を少なくとも１０％を超える量の流動体とからなる構成としたことを特徴とするものである。
【００１４】
前記砂時計玩具に係る発明においては、前記非対称の容器は、全体形状が扁平な形状または横断面が円形であること；前記流動体は液体または粒状体であって着色してあること；前記回転部材に設けた所要の表示は、複数個の数字であること；及び前記胴部には前記回転部材と隣接する状態で矢印マークが設けられていること；を付加的な要件として含むものである。
【発明の効果】
【００１５】
本発明に係る第１の発明の砂時計式の時計玩具においては、透明な容器が括れ部または首部を境にして天地が非対称に形成されており、その容器内にノズル付の椀型の受け部材を配設すると共に、ノズルの先端が臨む位置に回転部材が配設され、さらに流動体が収納された構成であって、時計玩具を逆さにすることによって流動体が頭部側に速やかに移動または流動し、時計玩具を元の設置位置に戻すと、頭部側の流動体が受け部材に必然的に収容されノズルから流下して回転部材を回転させるので、その回転が動きとして離れた位置からも視認することができると共に、その動きが止まることでタイマーとしての経過時間をキチント知らしめることができるという優れた効果を奏する。
【００１６】
また、本発明の砂時計式の時計玩具においては、天地が非対称に形成されているので、従来の砂時計と違って、こけし型または人形型に形成できるのであり、それによって時計玩具ではあるが室内の装飾品としても利用できるという優れた効果を奏する。
【００１７】
さらに、本発明に係る時計玩具においては、流動体の流下によって回転する回転部材が配設され、その回転部材に設けた所要の表示が複数個の数字であり、且つそれに隣接して矢印マークが設けられているので、時計玩具を逆さにして受け部材への流動体の収容量を適宜変更し、流動体をノズルから流下させることによって回転部材が回転して停止した位置において矢印マークが指し示す数字などによって、サイコロ遊びと同じようなゲームが楽しめるという優れた効果を奏する。
【発明を実施するための最良の形態】
【００１８】
次に、本発明を図示の具体的な実施の形態に基づいて詳しく説明する。図１と図２は、第１の実施の形態に係る砂時計式の時計玩具の基本的な形態を示すものであり、図３と図４は、第２の実施の形態に係る砂時計式の時計玩具を示すものであり、図５は第３の実施の形態に係る時計玩具を示し、図６は第４の実施の形態に係る時計玩具を示し、図７は第５の実施の形態に係る時計玩具を示し、図８は第６の実施の形態に係る時計玩具を示すものである。
【００１９】
まず、第１の実施の形態に係る砂時計式の時計玩具１は、図１および図２に示したように、頭部２、括れ部または首部３と胴体部４とを透明なガラスまたは樹脂材料で一体に形成し、全体を略こけし形状に形成した容器であり、首部（括れ部分）３を境にして天地が対称形状ではない形状で、図２の側面図から明らかなように、扁平な形状に形成したものである。
【００２０】
時計玩具１として、頭部３の内部にお椀型の受け部材５が周囲に隙間６を設けて複数箇所においてボス状のブリッジ材７を介して取り付けられ、該受け部材５の底部又は底面には流動体８を流下させるためのノズル５ａ、５ｂが傾斜方向を異に（左右に）して下向きに設けてある。この場合に使用される流動体８としては着色した液体が好ましいが、一般的に砂時計に使用されている砂であっても良い。
【００２１】
胴体部４の内側には、前後に２個の水車形状の回転部材９、１０がそれぞれ個別に回転できるように１本の軸部材１１で取り付け配設され、各回転部材９、１０の周側面には流動体８を受ける多数の羽根板または仕切板９ａ、１０ａが設けられると共に、各表面側となる平面部分には、例えば、周方向に６等分した表示とその６等分した領域に１〜６の数字を表示した表示部１２をそれぞれ設けてある。
【００２２】
また、これら回転部材９、１０の配設については、前記ノズル５ａが回転部材９に、ノズル５ｂが回転部材１０にそれぞれ対応させて配設し、両ノズル５ａ、５ｂの傾斜方向が異なるため流動体８を流下させることによって回転部材９は時計方向に、回転部材１０は反時計方向に回転するようになっている。但し、背面側から見た場合には、上記とは逆に回転部材１０が時計方向に、回転部材９が反時計方向に回転するように視認できる。
【００２３】
さらに、胴体部４には、底部から起立した状態の矢印マーク部材１３が底部中央部に設けられ、回転部材９、１０の中心部を指す状態で配設されている。そして、時計玩具１の底部、即ち、胴体部４の下面にはその下面よりも広い板部材１４が取り付けられており、該板部材１４によって時計玩具１の据置による起立状態が安定する。
【００２４】
次に、図３及び図４に示した第２の実施の形態に係る時計玩具について説明する。この第２の実施の形態に係る時計玩具は、前記第１の実施の形態に係る時計玩具とでは、使用する材料はほぼ同じであるが、全体の形状としてこけし型かだるま型かの形状の相違と、流動体を流下させるノズルが２本か１本かの違いと、回転部材の配設状態の違いとそれに伴う矢印マーク部材の数が違うが、理解を容易にするため、共通する部分には共通する符号を付して違う部分については、関連符号を付して説明する。  
【００２５】
即ち、この第２の実施の形態に係る時計玩具１は、頭部２と首部３と胴部４とからなるだるま型で扁平な形状に形成したものであり、頭部２内には、お椀型の受け部材５が周囲に隙間６を設けて複数箇所においてボス状のブリッジ材７を介して取り付けられている。そして、受け部材５の底面には流動体８を流下させるために１本のノズル５ａが略垂直状態に設けられている。
【００２６】
表示部１２をそれぞれ有する回転部材９、１０は、前後方向ではなく横方向に隣接状態で且つ非接触の状態に配設され、それぞれが個別に軸部材１１ａ、１１ｂで回転可能に取り付けられている。また、回転部材９、１０に対して矢印マーク１３ａ、１３ｂが底部から起立状態に配設されると共に、胴体部４の下面にはその下面よりも広い板部材１４が取り付けられている。なお、この第２の実施の形態に係る「だるま型」の形状に変えて「ひょうたん型」の形状に形成しても各部材の配列においては略同じである。
【００２７】
また、図５及び図６に示した第３と第４の実施の形態に係る時計玩具１について説明する。これらの実施の形態は、全体をボトル形状に形成したものであり、お椀型の受け部材の配設位置を変えたもので他の構成部分は前記第１及び第２の実施の形態と実質的に同じであるので、理解を容易にするため同一部分には同一符号を付して説明する。
【００２８】
まず、図５に示した第３の実施の形態に係る時計玩具１は、頭部２と首部３と胴部４とからなるボトル形状を呈するものであり、お椀型の受け部材５は頭部２内ではなく首部３の直ぐ下の胴部４内に、上縁周囲に隙間６を開けて且つ複数箇所においてボス状のブリッジ材７を介して取り付けられている。
【００２９】
そして、流動体８を流下させるノズル５ａは１本を斜めに設けてあり、そのノズル５ａからの流動体８を受けて回転する１個の回転部材９を胴部４内に軸部材１１を介して回転自在に取り付けられている。その回転部材９の表裏両面には、表示部１２が設けられている点については先の実施の形態と同じであり、矢印マーク部材１３については、底部から起立状態に設けなくても、例えば、胴部４の表面にプリントによって表示すれば良いのである。また、時計玩具１の底面に板部材１４が取り付けられた点も同じである。
【００３０】
また、図６に示した第４の実施の形態に係る時計玩具１も、頭部２と首部３と胴部４とからなるボトル形状を呈するものであり、該ボトル形状において頭部２が丸みを有し、胴部４がふっくらと外側に拡がった丸みを有する点で全体形状が前記第３の実施の形態と相違している。
【００３１】
この実施の形態においても、お椀型の受け部材５は頭部２内ではなく首部３の直ぐ下の胴部４内に、上縁周囲に隙間６を開けて且つ複数箇所においてボス状のブリッジ材７を介して取り付けられている点では、前記第３の実施の形態に係る時計玩具と同じであるが、胴部４が外側に拡がっていて広くなっているので、２個の回転部材９、１０が間隔を開けて取り付けられている点で相違する。
【００３２】
即ち、受け部材５のノズル５ａは中央部において垂直に垂下するように形成され、その先端部から流下する流動体８が左右に拡がって噴出流下するようにしてあり、その拡がった流動体８によって回転させられるように２個の回転部材９、１０が所定の間隔をもって軸部材１１ａ、１１ｂでそれぞれ個別に回転可能に取り付けられている。
【００３３】
そして、これら２個の回転部材９、１０には表示部１２がそれぞれ設けられている点については、先の第２の実施の形態と同様であり、矢印マーク部材１３ａ。１３ｂについては、前記第３の実施の形態と同様に、胴部４の表面にプリントによって表示すれば良いのである。また、時計玩具１の底面に所要大きさの板部材１４が取り付けられている点も同じである。
【００３４】
さらに、図７と図８に示した第５と第６の実施の形態について説明する。これら実施の形態に係る時計玩具２１は、扁平ではなく略円筒状で人形またはこけし型に形成されたものである。そこで、まず図７の第５の実施の形態に係る時計玩具２１は、透明なガラス又は樹脂材で頭部２２と首部２３及び胴部２４が一連に一体的に形成され、これらの各部の横断面は円形状である。  
【００３５】
この第５の実施の形態に係る時計玩具２１も、天地が対称的ではなく、頭部２２の内部にお椀型の受け部材２５が周囲に隙間２６を開けて且つ複数箇所においてボス状のブリッジ材２７を介して取り付けられている。
【００３６】
受け部材２５の底部又は底面には流動体２８を流下させるための複数本、例えば、３本のノズル２５ａ、２５ｂ、２５ｃが３方向にほぼ同じ角度をもって傾斜させて下向きに設けてあり、胴部２４の内部に配設されている。  
【００３７】
これらノズル２５ａ、２５ｂ、２５ｃから流下した流動体２８によって回転駆動される円盤状の回転部材２９が底部に起立させた軸３１により平板状に支持されて配設されている。この回転部材２９の周縁部には流動体２８を受ける多数の羽根板または仕切板２９ａが同一方向に等間隔をもって斜めに取り付けられており、少なくとも、羽根板または仕切板２９ａの上面側は開放しており、その開放した部分にノズル２５ａ、２５ｂ、２５ｃから流下した流動体２８がぶつかるようになっている。なお、羽根板または仕切板２９ａについては、複数枚毎、例えば５枚毎にコントラストの強い着色を施してある。また、時計玩具２１の底面には衝撃緩衝用の板部材３４が取り付けてある。
【００３８】
図８に示した第６の実施の形態に係る時計玩具２１も、天地が対称的ではなく、前記第５の実施の形態と同様に透明なガラス又は樹脂材で頭部２２と首部２３及び胴部２４が一連に一体的に形成され、これらの各部の横断面は円形状である。      
【００３９】
また、前記第５の実施の形態の時計玩具２１と違う点は、首部２３の直下において胴部２４の内部上方にお椀型の受け部材２５が周囲に隙間２６を開けて且つ複数箇所においてボス状のブリッジ材２７を介して取り付けられている点である。
【００４０】
そして、受け部材２５の底部又は底面には流動体２８を流下させるための複数本、例えば、４本のノズル２５ａ、２５ｂ、２５ｃ、２５ｄが４方向にほぼ同じ角度配分で配設し且つ湾曲させて下向きに設けてある。  
【００４１】
これらノズル２５ａ、２５ｂ、２５ｃ、２５ｄから流下した流動体２８によって回転駆動される回転部材２９が底部から起立した軸３１により平板状に支持されて配設されている。この回転部材２９の周縁部には流動体２８を受ける多数の羽根板または仕切板２９ａが同一方向に等間隔をもって斜めに取り付けられており、少なくとも、羽根板または仕切板２９ａの上面側は開放しており、その開放した部分にノズル２５ａ、２５ｂ、２５ｃ、２５ｄから流下した流動体２８がぶつかるようになっている。なお、羽根板または仕切板２９ａについては前記実施の形態と同様に、複数枚毎にコントラストの強い着色を施すと共に、時計玩具２１の底面には緩衝用の板部材３４が取り付けてある。
【００４２】
上記構成を有する各実施の形態の時計玩具において、その動作について代表して第１の実施の形態に係る時計玩具１を取り上げて説明し、他の実施の形態については、要部のみを説明する。  
【００４３】
第１の実施の形態に係る時計玩具１については、こけし形状であることから室内の装飾品にもなるし、砂時計式に使用する時には、時計玩具１を一度逆さにして流動体８を頭部２側に流動させて移し、元の起立状態に戻して使用する。時計玩具１を逆さにすると、受け部材５と頭部２の内壁との間の間隙６によって流動体８は速やかに（１秒程度）頭部２内に流入し、これを元の起立状態に戻すと、頭部２内に流入した流動体８が受け部材５内に貯められ、ノズル５ａ、５ｂから流下するのであり、受け部材５内の流動体８が流下終了する時間をもって時計として機能するのである。
【００４４】
時計玩具１を逆さにした場合に、受け部材５と頭部２の内壁との間隙６は、受け部材５の周面に沿って存在しているので、流動体８の頭部２内への流入は１秒足らずのアッという間に遂行されるのであり、それを元の起立状態に戻せばほとんどの流動体８が受け部材５内に貯められ、狭い通路のノズル５ａ、５ｂから時間を掛けて流下するのである。
【００４５】
なお、時計玩具１の内部に封入される流動体８は、受け部材５の容積の１．１〜１．５倍程度の量、即ち受け部材５で受けられる全量を少なくとも１０％越える程度の量にすれば良いのであり、時計玩具１を逆さにして元の起立状態に戻した時に受け部材５に入りきれない流動体８は、受け部材５の周縁部から溢出して胴部４側に直ちに戻るのであり、受け部材５の容積とノズル５ａ、５ｂからの流下速度が、要するに、時計としての時間設定の基本になるのであり、受け部材５内の流動体８が全部流下するまでの時間を例えば、３分とか５分とかになるように形成し、流動体８が流下している間は回転部材９、１０が回転（動いている）しているので、その回転（動き）が止まった時にタイマーとしての時間経過の終了が目視により簡単に解るのである。  
【００４６】
玩具またはゲームとして使用する場合に、例えば、二人でゲームする時に、どちらが表側でどちらが裏側かを決めてスタートする。そして、前記と同様に時計玩具１を一度逆さにして元の起立状態に戻して、受け部材５に収容した流動体８をノズル５ａ、５ｂから流下させることによって回転部材９、１０を回転させ、流動体８の流下がなくなって回転部材９、１０が停止したところで、矢印マーク部材１３が指し示している表側と裏側の表示部１２の数字の大小で勝ち負けを決めたり、または複数回の試技で指し示された数字を加算したりして楽しむことができる。
【００４７】
このようなゲームの場合に、時計玩具１の逆さまにする時間を短くすることで、頭部２側に流入する流動体８の量を少なくし、受け部材５に収容される量を、例えば、１／３とか１／４程度にすることで、１回の試技が短くなって遊びのテンポを早めることができるし、時計玩具１を逆さにして流動体８を頭部２側に戻したり元の起立状態に戻したりする時に、流動する一部の流動体８が回転部材９、１０に接触したりすると共に、両ノズル５ａ、５ｂからの流下量も一定であるとは限らないので、ゲームのスタート位置と停止位置における表示部１２の数字の位置が全く予測できないのであり、それによってゲームの面白さが醸し出されるのである。
【００４８】
次に、第２の実施の形態に係る時計玩具１について、砂時計式の時計として使用する場合は、前記第１の実施の形態で説明したように、時計玩具１を逆さにして流動体８を頭部２側の受け部材５に満杯に収容させ、起立状態に戻してノズル５ａから流下させることによりタイマーとして使用するのであり、回転部材９、１０の回転（動き）が止まった時にタイマーとしての時間経過の終了が離れた位置でも目視により簡単に解るのである。
【００４９】
また、ゲームとして使用する場合には、例えば、二人でゲームをする場合に、お互いに時計玩具１の表又は裏の位置において、回転部材９、１０を見ることができるので、お互いがそれぞれ左側の回転部材が自己のもので右側の回転部材が相手のものであることを予め定めてからゲームを開始する。この場合も、前記第１の実施の形態で説明したように、時計玩具１の逆さまにする時間を短くして受け部材５内への流動体８の収容量を少なくして遊びのテンポを速めることができ、しかも、一方の面側から両方の回転部材９、１０が視認できること、ノズル５ａから流下する流動体８が回転部材９、１０に均等に接触するとは限らないので、非接触状態にある回転部材９、１０の回転速度はそれぞれ異なるようになり、矢印マーク部材１３が指し示す表示部１２の数字を予測することは極めて困難であるので、ゲーム性に優れているのである。  
【００５０】
さらに、図５と図６に示した第３及び第４の実施の形態においては、括れ部となる首部３よりも下方の胴部４側に受け部材５が設けられたものであり、時計玩具１を逆さにして流動体８を頭部２内に流入させた後に、元の起立状態に戻すと頭部２内の流動体８はほとんどが受け部材５内に入った後に、余剰の流動体８は受け部材５の縁から溢出するようにるのであり、受け部材５内に収納された満タンの流動体８はノズル５ａから時間を掛けて流下するのである。
【００５１】
ところで、第３の実施の形態においては、時計玩具１内に一つの回転部材９しか配設されていないが、タイマーとしての使用時には、回転部材９の回転動作及び回転停止の状態が離れた位置からでも視認できるし、ゲーム用として使用する場合には、複数人が交互に時計玩具１を逆さにして元に戻す動作を繰り返し行って数字の大小で遊ぶことができるのである。
【００５２】
また、図６に示した第４の実施の形態においては、時計玩具１内に二つの回転部材９、１０か配設されているが、タイマーとしての使用する場合には、ノズル５ａから流下する流動体８が有る内と無くなった時とによって回転部材９、１０の回転動作及び回転停止の状態を離れた位置からでも視認できることで、タイマー機能が発揮される。
【００５３】
そして、ゲームとして使用する場合には、前記第２の実施の形態で説明した事項と大差は無いが、ノズル５ａから噴出流下する流動体８が必ずしも左右に均等に噴出する訳ではないので、回転部材９、１０の回転速度に差があって、停止する状況（時間遅れなど）も両者が違うのでゲーム性や面白さがより向上する。
【００５４】
次に、図７と図８に示した第５及び第６の実施の形態においては、全体が扁平状ではなく各部の横断面が円形状に形成されているので、動きのある円盤状の回転部材２９が胴部２４内において、底部から起立した軸３１によって回転自在に支持されており、回転部材２９の周縁部に設けた羽根板または仕切板２９ａに複数のノズル２５ａ、２５ｂ…から流下した流動体２８が作用することによって、回転部材２９が回転の動きをし、例えば、羽根板または仕切板２９ａが５枚毎に黄色と赤または白と青などのコントラストの強い着色をしてあれば、離れた位置から回転部材２９が回転しているか停止しているかが目視により容易に視認できるのであり、タイマーとしてもまた動きのあるおもちゃとしても興味をそそるようになるのである。
【産業上の利用可能性】
【００５５】
いずれにしても本発明に係る砂時計式の時計玩具は、透明なガラスまたは樹脂材により頭部と首部または括れ部と胴部とを一連に形成した天地が非対称の容器と、該容器内の首部または括れ部を境にして上部の頭部または下部の胴部内に、周囲に所要の間隙をもって配設したノズル付の椀型形状の受け部材と、前記ノズルの先端が臨む位置に回転可能に配設し、周方向に複数等分して所要の表示を設けた少なくとも１個の回転部材と、該容器内に収納した前記受け部材の容量を少なくとも１０％を超える量の流動体とからなる構成としたものであり、時計玩具を逆さにすることによって流動体が頭部側に速やかに移動または流動し、時計玩具を元の設置位置に戻すと、頭部側の流動体が受け部材に必然的に収容されノズルから流下して回転部材を回転させるので、その回転が動きとして離れた位置からも視認することができると共に、その動きが止まることでタイマーとしての経過時間をキチント知らしめることができると共に、天地が非対称に形成されているので、従来の砂時計と違って、こけし型または人形型に形成できるのであり、それによって時計玩具ではあるが室内の装飾品としても利用でき、さらに、流動体の流下によって回転する回転部材が配設され、その回転部材に設けた所要の表示が複数個の数字であり、且つそれに隣接して矢印マークが設けられているので、時計玩具を逆さにして受け部材への流動体の収容量を適宜変更し、流動体をノズルから流下させることによって回転部材が回転して停止した位置において矢印マークが指し示す数字などによって、サイコロ遊びと同じようなゲームが楽しめるのであり、砂時計またはゲーム用の砂時計玩具として広い範囲で有用に利用することができるのである。
【図面の簡単な説明】
【００５６】
【図１】本発明に係る第１の実施の形態に係る砂時計式の時計玩具を略示的に示した正面図である。
【図２】同実施の形態に係る時計玩具を略示的に示した側面図である。
【図３】本発明に係る第２の実施の形態に係る砂時計式の時計玩具を略示的に示した正面図である。
【図４】同実施の形態に係る時計玩具を略示的に示した側面図である。
【図５】本発明に係る第３の実施の形態に係る砂時計式の時計玩具を略示的に示した正面図である。
【図６】本発明に係る第４の実施の形態に係る砂時計式の時計玩具を略示的に示した正面図である。
【図７】本発明に係る第５の実施の形態に係る砂時計式の時計玩具を略示的に示した正面図である。
【図８】本発明に係る第６の実施の形態に係る砂時計式の時計玩具を略示的に示した正面図である。
【符号の説明】
【００５７】
１、２１  時計玩具
２、２２  頭部
３、２３  括れ部または首部
４、２４  胴部
５、２５  受け部材
５ａ、５ｂ、２５ａ、２５ｂ、２５ｃ、２５ｄ  ノズル
６、２６  隙間
７、２７  ブリッジ材
８、２８  流動体
９、１０、２９  回転部材
９ａ、１０ａ、２９ａ  羽根板または仕切板  
１１、１１ａ、１１ｂ  回転軸  
１２  表示部
１３、１３ａ、１３ｂ  矢印マーク部材
１４，３４  板部材
３１  軸
【図１】
2009106599.tif 000003
【図２】
2009106599.tif 000004
【図３】
2009106599.tif 000005
【図４】
2009106599.tif 000006
【図５】
2009106599.tif 000007
【図６】
2009106599.tif 000008
【図７】
2009106599.tif 000009
【図８】
2009106599.tif 000010